(57)【要約】【課題】アナログメータが表す値を読み取ってその値を情報入力装置に入力する作業における作業効率を向上させる技術を提供する。【解決手段】アナログ表示部２０２０は、数値をアナログ表示するアナログメータを表示する。デジタル表示部２０４０は、アナログメータがアナログ表示している数値をデジタル表示する。アナログ入力部２０６０はアナログメータに対する操作を受け付け、デジタル入力部２０８０は数値のデジタル入力を受け付ける。アナログ表示部２０２０は、数値がデジタル入力された場合、その数値をアナログ表示し、アナログメータが操作された場合、その操作に応じてアナログメータの表示を変更する。デジタル表示部２０４０は、数値がデジタル入力された場合、その数値をデジタル表示し、アナログメータが操作された場合、操作後のアナログメータが表す数値をデジタル表示する。【選択図】図１
2015052523.tif 000002
【特許請求の範囲】
【請求項１】
数値をアナログ表示するアナログメータを、表示画面上に表示するアナログ表示手段と、
前記アナログメータによってアナログ表示されている数値を、前記表示画面上にデジタル表示するデジタル表示手段と、
前記アナログメータに対する操作を受け付けるアナログ入力手段と、
数値のデジタル入力を受け付けるデジタル入力手段と、
を有し、
前記アナログ表示手段は、
前記デジタル入力手段に対して数値が入力された場合、その数値をアナログ表示するように前記アナログメータの表示を変更し、
前記アナログ入力手段が操作を受け付けた場合、その操作に応じて前記アナログメータの表示を変更し、
前記デジタル表示手段は、
前記デジタル入力手段に対して数値が入力された場合、その数値をデジタル表示し、
前記アナログ入力手段が操作を受け付けた場合、その操作後の前記アナログメータがアナログ表示している数値をデジタル表示する、
情報入力装置。
【請求項２】
前記アナログメータ上に、正常な数値の範囲又は異常な数値の範囲を、他の範囲と識別可能にアナログ表示する特徴範囲表示手段を有する請求項１に記載の情報入力装置。
【請求項３】
当該情報入力装置に対する入力の履歴に基づいて、前記正常な数値の範囲又は前記異常な数値の範囲を算出する特徴範囲算出手段を有し、
前記特徴範囲表示手段は、前記特徴範囲算出手段によって算出された範囲を、他の範囲と識別可能に表示する、
請求項２に記載の情報入力装置。
【請求項４】
複数種類の前記アナログメータそれぞれについて、そのアナログメータの特徴を示すメータ情報を取得するメータ情報取得手段と、
前記表示画面上に表示する前記アナログメータの特徴を示す情報である対象情報を取得する対象情報取得手段と、を有し、
前記アナログ表示手段は、前記メータ情報に示される前記アナログメータの中から、前記対象情報に示される特徴を持つ前記アナログメータを特定し、特定した前記アナログメータを表示する、
請求項１乃至３何れか一項に記載の情報入力装置。
【請求項５】
アナログメータが撮像されている画像からそのアナログメータの特徴を抽出し、そのアナログメータの特徴を示す前記対象情報を生成する対象情報生成手段を有し、
前記対象情報取得手段は、前記対象情報生成手段によって生成された前記対象情報を取得する、
請求項４に記載の情報入力装置。
【請求項６】
前記メータ情報に示される各前記アナログメータそれぞれの特徴を示す複数の前記対象情報を選択可能に表示するメータ選択手段を有し、
前記対象情報取得手段は、前記メータ選択手段を用いて選択された前記対象情報を取得する、
請求項４に記載の情報入力装置。
【請求項７】
前記アナログメータは少なくとも１つの指針を有し、
前記アナログ入力手段が受け付ける操作は、前記アナログメータが有する前記指針が指す位置を変更する操作である、
請求項１乃至６何れか一項に記載の情報入力装置。
【請求項８】
前記アナログメータは、複数の数値それぞれをアナログ表示し、
前記デジタル表示手段は、前記複数の数値それぞれをデジタル表示する、
請求項１乃至７何れか一項に記載の情報入力装置。
【請求項９】
前記特徴範囲表示手段は、前記アナログメータ上に、異常な数値の範囲を他の範囲と識別可能にアナログ表示し、
前記アナログ表示手段によってアナログ表示される数値が前記異常な数値の範囲に含まれる場合のみ、当該情報入力装置の利用方法に関する確認情報を表示する確認情報表示手段を有する請求項２又は３に記載の情報入力装置。
【請求項１０】
情報入力装置として動作するコンピュータによって実行される制御方法であって、
数値をアナログ表示するアナログメータを、表示画面上に表示するアナログ表示ステップと、
前記アナログメータによってアナログ表示されている数値を、前記表示画面上にデジタル表示するデジタル表示ステップと、
前記アナログメータに対する操作を受け付けるアナログ入力ステップと、
数値のデジタル入力を受け付けるデジタル入力ステップと、
を有し、
前記アナログ表示ステップは、
前記デジタル入力ステップで数値が入力された場合、その数値をアナログ表示するように前記アナログメータの表示を変更し、
前記アナログ入力ステップで操作を受け付けた場合、その操作に応じて前記アナログメータの表示を変更し、
前記デジタル表示ステップは、
前記デジタル入力ステップで数値が入力された場合、その数値をデジタル表示し、
前記アナログ入力ステップで操作を受け付けた場合、その操作後の前記アナログメータがアナログ表示している数値をデジタル表示する、
制御方法。
【請求項１１】
前記アナログメータ上に、正常な数値の範囲又は異常な数値の範囲を、他の範囲と識別可能にアナログ表示する特徴範囲表示ステップを有する請求項１０に記載の制御方法。
【請求項１２】
当該制御方法に対する入力の履歴に基づいて、前記正常な数値の範囲又は前記異常な数値の範囲を算出する特徴範囲算出ステップを有し、
前記特徴範囲表示ステップは、前記特徴範囲算出ステップによって算出された範囲を、他の範囲と識別可能に表示する、
請求項１１に記載の制御方法。
【請求項１３】
複数種類の前記アナログメータそれぞれについて、そのアナログメータの特徴を示すメータ情報を取得するメータ情報取得ステップと、
前記表示画面上に表示する前記アナログメータの特徴を示す情報である対象情報を取得する対象情報取得ステップと、を有し、
前記アナログ表示ステップは、前記メータ情報に示される前記アナログメータの中から、前記対象情報に示される特徴を持つ前記アナログメータを特定し、特定した前記アナログメータを表示する、
請求項１０乃至１２何れか一項に記載の制御方法。
【請求項１４】
アナログメータが撮像されている画像からそのアナログメータの特徴を抽出し、そのアナログメータの特徴を示す前記対象情報を生成する対象情報生成ステップを有し、
前記対象情報取得ステップは、前記対象情報生成ステップによって生成された前記対象情報を取得する、
請求項１３に記載の制御方法。
【請求項１５】
前記メータ情報に示される各前記アナログメータそれぞれの特徴を示す複数の前記対象情報を選択可能に表示するメータ選択ステップを有し、
前記対象情報取得ステップは、前記メータ選択ステップを用いて選択された前記対象情報を取得する、
請求項１３に記載の制御方法。
【請求項１６】
前記アナログメータは少なくとも１つの指針を有し、
前記アナログ入力ステップが受け付ける操作は、前記アナログメータが有する前記指針が指す位置を変更する操作である、
請求項１０乃至１５何れか一項に記載の制御方法。
【請求項１７】
前記アナログメータは、複数の数値それぞれをアナログ表示し、
前記デジタル表示ステップは、前記複数の数値それぞれをデジタル表示する、
請求項１０乃至１６何れか一項に記載の制御方法。
【請求項１８】
前記特徴範囲表示ステップは、前記アナログメータ上に、異常な数値の範囲を他の範囲と識別可能にアナログ表示し、
前記アナログ表示ステップによってアナログ表示される数値が前記異常な数値の範囲に含まれる場合のみ、前記情報入力装置の利用方法に関する確認情報を表示する確認情報表示ステップを有する請求項１１又は１２に記載の制御方法。
【請求項１９】
コンピュータに情報入力装置として動作する機能を持たせるプログラムであって、前記コンピュータに、
数値をアナログ表示するアナログメータを、表示画面上に表示するアナログ表示機能と、
前記アナログメータによってアナログ表示されている数値を、前記表示画面上にデジタル表示するデジタル表示機能と、
前記アナログメータに対する操作を受け付けるアナログ入力機能と、
数値のデジタル入力を受け付けるデジタル入力機能と、
を持たせ、
前記アナログ表示機能は、
前記デジタル入力機能で数値が入力された場合、その数値をアナログ表示するように前記アナログメータの表示を変更し、
前記アナログ入力機能で操作を受け付けた場合、その操作に応じて前記アナログメータの表示を変更し、
前記デジタル表示機能は、
前記デジタル入力機能で数値が入力された場合、その数値をデジタル表示し、
前記アナログ入力機能で操作を受け付けた場合、その操作後の前記アナログメータがアナログ表示している数値をデジタル表示する、
プログラム。
【請求項２０】
前記コンピュータに、前記アナログメータ上に、正常な数値の範囲又は異常な数値の範囲を、他の範囲と識別可能にアナログ表示する特徴範囲表示機能を持たせる請求項１９に記載のプログラム。
【請求項２１】
前記コンピュータに、当該プログラムに対する入力の履歴に基づいて、前記正常な数値の範囲又は前記異常な数値の範囲を算出する特徴範囲算出機能を持たせ、
前記特徴範囲表示機能は、前記特徴範囲算出機能によって算出された範囲を、他の範囲と識別可能に表示する、
請求項２０に記載のプログラム。
【請求項２２】
前記コンピュータに、
複数種類の前記アナログメータそれぞれについて、そのアナログメータの特徴を示すメータ情報を取得するメータ情報取得機能と、
前記表示画面上に表示する前記アナログメータの特徴を示す情報である対象情報を取得する対象情報取得機能と、を持たせ、
前記アナログ表示機能は、前記メータ情報に示される前記アナログメータの中から、前記対象情報に示される特徴を持つ前記アナログメータを特定し、特定した前記アナログメータを表示する、
請求項１９乃至２１何れか一項に記載のプログラム。
【請求項２３】
前記コンピュータに、アナログメータが撮像されている画像からそのアナログメータの特徴を抽出し、そのアナログメータの特徴を示す前記対象情報を生成する対象情報生成機能を持たせ、
前記対象情報取得機能は、前記対象情報生成機能によって生成された前記対象情報を取得する、
請求項２２に記載のプログラム。
【請求項２４】
前記コンピュータに、前記メータ情報に示される各前記アナログメータそれぞれの特徴を示す複数の前記対象情報を選択可能に表示するメータ選択機能を持たせ、
前記対象情報取得機能は、前記メータ選択機能を用いて選択された前記対象情報を取得する、
請求項２２に記載のプログラム。
【請求項２５】
前記アナログメータは少なくとも１つの指針を有し、
前記アナログ入力機能が受け付ける操作は、前記アナログメータが有する前記指針が指す位置を変更する操作である、
請求項１９乃至２４何れか一項に記載のプログラム。
【請求項２６】
前記アナログメータは、複数の数値それぞれをアナログ表示し、
前記デジタル表示機能は、前記複数の数値それぞれをデジタル表示する、
請求項１９乃至２５何れか一項に記載のプログラム。
【請求項２７】
前記特徴範囲表示機能は、前記アナログメータ上に、異常な数値の範囲を他の範囲と識別可能にアナログ表示し、
前記アナログ表示機能によってアナログ表示される数値が前記異常な数値の範囲に含まれる場合のみ、前記情報入力装置の利用方法に関する確認情報を表示する確認情報表示機能を有する請求項２０又は２１に記載のプログラム。
【発明の詳細な説明】
【技術分野】
【０００１】
本発明は、情報入力装置、制御方法、及びプログラムに関する。
【背景技術】
【０００２】
アナログメータが表す値を読み取り、読み取った値を端末装置などの情報入力装置に入力する作業が行われることがある。例えば機器の点検作業では、機器に設置されているアナログメータが表す値を読み取って情報入力装置に入力することで、機器の状態の把握及び記録が行われる。
【０００３】
上記のような作業において、作業に不慣れな作業員が、アナログメータが表す値の読み取りや読み取った値の入力を誤ったりする場合がある。例えば、アナログメータの目盛りに数値が記載されていない場合、作業に不慣れな作業員にとって、そのアナログメータが表す値を読み取ることが難しい。また、アナログメータが表す値を何桁まで情報入力装置に入力すればよいか分からない場合、作業に不慣れな作業員にとって、アナログメータが表す値を入力することが難しい。
【０００４】
ユーザによる値の読み取り又は入力を支援する技術を開示している文献として、特許文献１及び２がある。特許文献１は、画面に描画されているアナログ時計に対して針を手書き入力することにより、現在時刻やアラームの時刻を設定できるようにする技術を開示している。この手書き入力によって入力された時刻は、アナログ時計の横にデジタル表示される。
【０００５】
特許文献２は、制御対象機器の設定値を示すアナログ設定表示器を用いて、設定値の変更を可能にする技術を開示している。アナログ設定表示器のつまみ部材を用いてアナログ設定表示器の指針を移動させると、制御対象機器の設定値が変更される。また特許文献２は、つまみ部材の代わりに入力キーとデジタル表示部を付加することで、入力キーを用いた設定値の変更、及び変更された設定値のデジタル表示を可能にする技術も開示している。
【先行技術文献】
【特許文献】
【０００６】
【特許文献１】特開平１０−１８６０６９号公報
【特許文献２】特開２００１−７５６０１号公報
【発明の概要】
【発明が解決しようとする課題】
【０００７】
本発明者は、アナログメータが表す値を読み取ってその値を情報入力装置に入力する作業における作業効率を向上させる方法を検討した。特許文献１で開示されている手書き入力を利用すると、直感的な入力操作が可能である。しかし一般に、手書き入力では、細かい値を正確に入力することが難しい。また、特許文献２に開示されているデジタル入力を利用すると、細かい値を正確に入力することができる。しかし、デジタル入力では、アナログメータによって表される数値をユーザが正確に読み取って入力しなければいけないため、入力操作が直感的ではない。さらに、デジタル入力では、目盛りが表す数値が不明である等の理由により、アナログメータによって表される数値をユーザが読み取れないと、ユーザは数値を入力できない。
【０００８】
本発明は、このような事情に鑑みてなされたものである。本発明の目的は、アナログメータが表す値を読み取ってその値を情報入力装置に入力する作業における作業効率を向上させる技術を提供することである。
【課題を解決するための手段】
【０００９】
本発明が提供する情報入力装置は、数値をアナログ表示するアナログメータを、表示画面上に表示するアナログ表示手段と、前記アナログメータによってアナログ表示されている数値を、前記表示画面上にデジタル表示するデジタル表示手段と、前記アナログメータに対する操作を受け付けるアナログ入力手段と、数値のデジタル入力を受け付けるデジタル入力手段と、を有する。前記アナログ表示手段は、前記デジタル入力手段に対して数値が入力された場合、その数値をアナログ表示するように前記アナログメータの表示を変更し、前記アナログ入力手段が操作を受け付けた場合、その操作に応じて前記アナログメータの表示を変更する。前記デジタル表示手段は、前記デジタル入力手段に対して数値が入力された場合、その数値をデジタル表示し、前記アナログ入力手段が操作を受け付けた場合、その操作後の前記アナログメータがアナログ表示している数値をデジタル表示する。
【００１０】
本発明が提供する制御方法は、本発明が提供する情報入力装置として動作するコンピュータによって実行される。当該制御方法は、数値をアナログ表示するアナログメータを、表示画面上に表示するアナログ表示ステップと、前記アナログメータによってアナログ表示されている数値を、前記表示画面上にデジタル表示するデジタル表示ステップと、前記アナログメータに対する操作を受け付けるアナログ入力ステップと、数値のデジタル入力を受け付けるデジタル入力ステップと、を有する。前記アナログ表示ステップは、前記デジタル入力ステップで数値が入力された場合、その数値をアナログ表示するように前記アナログメータの表示を変更し、前記アナログ入力ステップで操作を受け付けた場合、その操作に応じて前記アナログメータの表示を変更する。前記デジタル表示ステップは、前記デジタル入力ステップで数値が入力された場合、その数値をデジタル表示し、前記アナログ入力ステップで操作を受け付けた場合、その操作後の前記アナログメータがアナログ表示している数値をデジタル表示する。
【００１１】
本発明が提供するプログラムは、コンピュータに、本発明が提供する情報入力装置として動作する機能を持たせる。このプログラムは、このコンピュータに、本発明が提供する情報入力装置が備える各機能構成部の機能を持たせる。
【発明の効果】
【００１２】
本発明によれば、アナログメータが表す値を読み取ってその値を情報入力装置に入力する作業における作業効率を向上させる技術が提供される。
【図面の簡単な説明】
【００１３】
【図１】実施形態１に係る情報入力装置を例示するブロック図である。
【図２】実施例１を説明するための図である。
【図３】実施形態１に係る情報入力装置のハードウエア構成を例示するブロック図である。
【図４】アナログメータが操作される場合において、実施形態１の情報入力装置によって実行される処理の流れを例示するフローチャートである。
【図５】数値がデジタル入力される場合において、実施形態１の情報入力装置によって実行される処理の流れを例示するフローチャートである。
【図６】数値格納部を有する実施形態１の情報入力装置を例示するブロック図である。
【図７】アナログ表示部とデジタル表示部がそれぞれ２つの数値を表示する場合における実施形態１の情報入力装置を例示する図である。
【図８】実施形態２に係る情報入力装置を例示するブロック図である。
【図９】特徴範囲表示部によって表示される特徴範囲を例示する図である。
【図１０】特徴範囲情報取得部を有する実施形態２の情報入力装置を例示するブロック図である。
【図１１】特徴範囲情報をテーブル形式で例示する図である。
【図１２】特徴範囲算出部を有する実施形態２の情報入力装置を例示するブロック図である。
【図１３】実施形態３に係る情報入力装置を例示するブロック図である。
【図１４】メータ情報をテーブル形式で例示する図である。
【図１５】アナログメータの形状に応じた開始位置及び終了位置の表し方を例示する図である。
【図１６】実施形態３の情報入力装置によって実行される処理の流れを例示するフローチャートである。
【図１７】対象情報生成部を有する実施形態３の情報入力装置を例示するブロック図である。
【図１８】メータ選択部を有する実施形態３の情報入力装置を例示するブロック図である。
【図１９】実施形態４に係る情報入力装置を例示するブロック図である。
【図２０】実施形態４における表示画面の表示を例示する図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
[実施形態１]
図１は、実施形態１に係る情報入力装置２０００を例示するブロック図である。図１において、矢印は情報の流れを表している。さらに、図１において、各ブロックは、ハードウエア単位の構成ではなく、機能単位の構成を表している。
【００１６】
＜概要＞
情報入力装置２０００は、アナログ表示部２０２０、デジタル表示部２０４０、アナログ入力部２０６０、及びデジタル入力部２０８０を有する。アナログ表示部２０２０は、数値をアナログ表示するアナログメータを、表示画面１０上に表示する。デジタル表示部２０４０は、アナログメータによってアナログ表示されている数値を、表示画面１０上にデジタル表示する。アナログ入力部２０６０は、アナログメータに対する操作を受け付ける。デジタル入力部２０８０は、数値のデジタル入力を受け付ける。
【００１７】
アナログ表示部２０２０は、デジタル表示部２０４０に対して数値が入力された場合、その数値をアナログ表示するようにアナログメータの表示を変更する。また、アナログ表示部２０２０は、アナログ入力部２０６０が操作を受け付けた場合、その操作に応じてアナログメータの表示を変更する。
【００１８】
デジタル表示部２０４０は、デジタル入力部２０８０に対して数値が入力された場合、その数値をデジタル表示する。また、デジタル表示部２０４０は、アナログ入力部２０６０が操作を受け付けた場合、その操作後のアナログメータがアナログ表示している数値を、デジタル表示する。
【００１９】
なお、表示画面１０は、情報入力装置２０００の内部に設けられていてもよいし、情報入力装置２０００の外部に設けられていてもよい。図１は、情報入力装置２０００の外部に表示画面１０が設けられている場合を示している。
【００２０】
＜実施例１＞
実施例を用いて、本実施形態に係る情報入力装置２０００の動作を説明する。実施例１において、情報入力装置２０００のユーザは、記録対象である実物のアナログメータが表す数値を、情報入力装置２０００を用いて記録する。
【００２１】
図２は、実施例１を説明するための図である。図２（ａ）は、記録対象である実物のアナログメータを示す。このメータを、物理メータ２０と表記する。図２（ｂ）〜図２（ｄ）は、情報入力装置２０００を示す。表示画面１０には、アナログメータ３０及びデジタルメータ４０が表示されている。
【００２２】
アナログメータ３０は、アナログ表示部２０２０によって表示されるアナログメータである。また、アナログメータ３０は、物理メータ２０を模したアナログメータである。アナログ入力部２０６０が受け付ける操作は、アナログメータ３０の指針をドラッグする操作である。つまりユーザは、アナログメータ３０の指針をドラッグして移動することで、アナログメータ３０が表す数値を変更することができる。
【００２３】
デジタルメータ４０は、デジタル表示部２０４０によって表示される。デジタルメータ４０は、各桁をドラム形式で表示している。ユーザは、デジタルメータ４０の各桁の表示をドラッグして表示されている数値を変更することで、デジタル入力部２０８０に対して数値をデジタル入力することができる。つまり、デジタルメータ４０は、アナログメータが表す値をデジタル表示するための出力インタフェースと、情報入力装置２０００に対して数値をデジタル入力するための入力インタフェースを兼ねている。ただし、アナログメータが表す値をデジタル表示するための出力インタフェースと、情報入力装置２０００に対して数値をデジタル入力するための入力インタフェースとは、異なっていてもよい。
【００２４】
なお、デジタル入力部２０８０に対するデジタル入力の方法は、上述したドラム形式の入力方法に限定されない。例えばデジタル入力を行う別の方法は、デジタル数値をキー入力する方法である。
【００２５】
図２（ｂ）は情報入力装置２０００の初期状態を表している。まずユーザは、物理メータ２０を見ながら、アナログメータ３０の指針の位置が、物理メータ２０の指針の位置と同じ位置になるように、アナログメータ３０の指針を移動する。これにより、デジタル表示部２０４０は、デジタルメータ４０がアナログ表示している値と同じ値を示すように、デジタルメータ４０の表示を更新する。その結果、表示画面１０上の表示は、図２（ｃ）の様になる。
【００２６】
アナログメータ３０の指針を指でドラッグする操作は、指針が指す大まかな位置を指定することが容易であるものの、細かい位置を正確に指定することが難しい。そのため、このドラッグ操作では、アナログメータ３０の指針が指す位置と物理メータ２０の指針が指す位置とを、正確に一致させることが難しい。図２（ｃ）において、アナログメータ３０における指針が示す位置は、物理メータ２０の指針が指す位置よりわずかに大きくなっている。
【００２７】
そこでユーザは、情報入力装置２０００に対して数値をデジタル入力してアナログメータ３０の指針が指す位置を調整する。前述したように、情報入力装置２０００に対して数値をデジタル入力する操作は、デジタルメータ４０の各桁が表す値をドラッグして変更する操作である。この操作に伴って、アナログメータ３０の指針の位置が移動する。ユーザは、アナログメータ３０の指針が示す位置が、物理メータ２０の指針が指す位置と一致するように、数値のデジタル入力を行う。ここでユーザは、図２（ｃ）においてデジタルメータ４０が表示している値を参考にすることで、情報入力装置２０００に対して入力すべき数値を把握しやすい。
【００２８】
図２（ｄ）は、デジタル入力によってアナログメータ３０の指針が指す位置を調整した結果、物理メータ２０の指針が示す位置と、アナログ表示部２０２０の指針が示す位置とが一致した様子を表している。以上の操作により、物理メータ２０の指針が示している値として、114.7℃が記録される。
【００２９】
ここで、アナログメータ３０とデジタルメータ４０は、必ずしも同時に表示画面１０上に表示されている必要はない。例えば表示画面１０上に、アナログメータ３０を表示するためのボタンやデジタルメータ４０を表示するためのボタンを設ける。そして、ユーザは、各メータを閲覧したい時に、これらのボタンを押すことで、所望のメータを表示画面１０上に表示する。
【００３０】
＜作用・効果＞
以上の構成により、本実施形態によれば、アナログ表示部２０２０とデジタル表示部２０４０により、同一の数値のアナログ表示とデジタル表示が行われる。アナログ入力部２０６０に対してアナログメータを操作する入力が行われると、その入力後の数値を表すように、アナログ表示及びデジタル表示の双方が変更される。また、デジタル表示部２０４０に対して数値のデジタル入力が行われると、入力された数値を表すように、アナログ表示及びデジタル表示の双方が変更される。
【００３１】
まずユーザは、表示画面１０上のアナログメータと記録対象である実物のアナログメータの比較しながらアナログメータを操作することで、デジタル入力しか行えない場合と比較し、実物のアナログメータが表す数値をより直感的に入力することができる。
【００３２】
ただし、表示画面１０上のアナログメータを操作する方法では、実物のアナログメータによって示される数値を正確に記録することが難しい。本実施形態の情報入力装置２０００によれば、ユーザは、数値をデジタル入力することで、表示画面１０上のアナログメータによって示される数値を変更できる。そのため、表示画面１０上のアナログメータを操作することしかできない場合と比較し、実物のアナログメータによって示される数値を正確に記録できる。
【００３３】
また数値をデジタル入力する際、表示画面１０上のアナログメータが表す数値は、表示画面１０上にデジタル表示されている。ユーザは、このデジタル表示を参考にすることができるため、デジタル入力すべき数値の大きさを把握しやすい。特に、実物のアナログメータの目盛りに数値が記載されていない場合や、経年劣化によって目盛りに記載されている数値が判読不能になっている場合、実物のアナログメータを見るだけでは、デジタル入力すべき数値を把握することが難しい。本実施形態の情報入力装置２０００によれば、表示画面１０上のアナログメータによって表される数値がデジタル表示されているため、ユーザは、デジタル入力すべき数値を容易に把握できる。また、ユーザは、表示画面１０上のデジタル表示を参照することで、デジタル入力すべき数値の桁数も容易に把握できる。
【００３４】
以上のことから、本実施形態の情報入力装置２０００によれば、実物のアナログメータが表す数値を読み取ってその数値を情報入力装置２０００に入力する作業における作業効率が向上する。
【００３５】
また、表示画面１０上において、数値に単位を付けてデジタル表示がされていると、ユーザは、実物のアナログメータに単位が記載されていなくても容易に数値の意味を理解できる。例えば、このアナログメータの取り扱いに不慣れなユーザでも、このアナログメータが表す数値の意味が容易に把握できる。
【００３６】
上述したように、情報入力装置２０００を用いることで、記録対象である実物のアナログメータの取り扱いに不慣れなユーザでも、実物のアナログメータが示す数値の読み取りや記録、及び数値の意味の理解ができる。そのため、情報入力装置２０００の利用を通じて、ユーザは、取り扱いに慣れていないアナログメータが表す数値の読み方や記録方法、数値の意味を習得できる。したがって、情報入力装置２０００によれば、記録対象である実物のアナログメータの取り扱いに不慣れなユーザに対する学習効果がある。
【００３７】
＜ハードウエア構成＞
情報入力装置２０００が有する各機能構成部は、例えば、個々に又は複数組み合わせられた状態で、少なくとも１つのハードウエア構成要素として実現される。その他にも例えば、各機能構成部は、少なくとも１つのソフトウエア構成要素として実現される。その他にも例えば、各機能構成部は、ハードウエア構成要素とソフトウエア構成要素の組み合わせにより実現される。
【００３８】
情報入力装置２０００は、種々の計算機である。例えば情報入力装置２０００は、携帯電話やタブレット PC（Personal Computer）などの携帯端末である。また、情報入力装置２０００は、デスクトップ PC やサーバ計算機などであってもよい。
【００３９】
図３は、実施形態１に係る情報入力装置２０００のハードウエア構成を例示するブロック図である。図３において、情報入力装置２０００は、バス１０２０、プロセッサ１０４０、メモリ１０６０、及びストレージ１０８０を有する。
【００４０】
バス１０２０は、プロセッサ１０４０、メモリ１０６０、及びストレージ１０８０が相互にデータを送受信するためのデータ伝送路である。プロセッサ１０４０は、例えば CPU (Central Processing Unit) や GPU (Graphics Processing Unit) などの演算処理装置である。メモリ１０６０は、例えば RAM (Random Access Memory) や ROM (Read Only Memory) などのメモリである。ストレージ１０８０は、例えばハードディスク、SSD (Solid State Drive)、メモリカードなどの記憶装置である。また、ストレージ１０８０は、RAM や ROM 等のメモリであってもよい。
【００４１】
アナログ表示モジュール１２２０は、情報入力装置２０００に、アナログ表示部２０２０の機能を持たせるためのプログラムである。プロセッサ１０４０は、アナログ表示モジュール１２２０を実行することで、アナログ表示部２０２０の機能を実現する。
【００４２】
デジタル表示モジュール１２４０は、情報入力装置２０００に、デジタル表示部２０４０の機能を持たせるためのプログラムである。プロセッサ１０４０は、デジタル表示モジュール１２４０を実行することで、デジタル表示部２０４０の機能を実現する。
【００４３】
アナログ入力モジュール１２６０は、情報入力装置２０００に、アナログ入力部２０６０の機能を持たせるためのプログラムである。プロセッサ１０４０は、アナログ入力モジュール１２６０を実行することで、アナログ入力部２０６０の機能を実現する。
【００４４】
デジタル入力モジュール１２８０は、情報入力装置２０００に、デジタル入力部２０８０の機能を持たせるためのプログラムである。プロセッサ１０４０は、デジタル入力モジュール１２８０を実行することで、デジタル入力部２０８０の機能を実現する。
【００４５】
例えばプロセッサ１０４０は、上記各モジュールをメモリ１０６０上に読み出して実行する。ただし、プロセッサ１０４０は、上記各モジュールを、メモリ１０６０上に読み出さずに実行してもよい。
【００４６】
ストレージ１０８０は、上記各モジュールを格納する。
【００４７】
情報入力装置２０００のハードウエア構成は、図３に示した構成に限定されない。例えば、上記各モジュールは、メモリ１０６０に格納されてもよい。この場合、情報入力装置２０００は、ストレージ１０８０を備えていなくてもよい。
【００４８】
＜処理の流れ＞
図４は、アナログメータが操作される場合において、実施形態１の情報入力装置２０００によって実行される処理の流れを例示するフローチャートである。ステップＳ１０２において、アナログ入力部２０６０は、アナログメータに対する操作を受け付ける。ステップＳ１０４において、アナログ表示部２０２０は、受け付けた操作に応じてアナログメータの表示を変更する。ステップＳ１０６において、デジタル表示部２０４０は、操作後のアナログメータがアナログ表示している数値を、デジタル表示する。
【００４９】
図５は、数値がデジタル入力される場合において、実施形態１の情報入力装置２０００によって実行される処理の流れを例示するフローチャートである。ステップＳ２０２において、デジタル入力部２０８０は、数値のデジタル入力を受け付ける。ステップＳ２０４において、デジタル表示部２０４０は、入力された数値をデジタル表示する。ステップＳ２０６において、アナログ入力部２０６０は、入力された数値をアナログ表示するように、アナログメータの表示を変更する。
【００５０】
以下、本実施形態の情報入力装置２０００について、さらに詳細に説明する。
【００５１】
＜アナログ入力の詳細＞
例えばアナログ入力部２０６０は、受け付けた操作の内容をアナログ表示部２０２０に対して通知する。例えば実施例１の場合、アナログ入力部２０６０は、操作後におけるアナログメータ３０の指針の位置（例：角度や先端の座標など）をアナログ表示部２０２０に通知する。そして、アナログ表示部２０２０は、通知された情報に基づいて、アナログメータの表示を変更する。
【００５２】
この場合、デジタル表示部２０４０は、アナログ入力部２０６０又はアナログ表示部２０２０から、表示変更の通知を受け付ける。そして、デジタル表示部２０４０は、アナログ表示部２０２０によってアナログ表示されている数値を割り出し、デジタル表示する。例えば実施例１の場合、デジタル表示部２０４０は、指針の位置に基づいて、デジタル表示する数値を割り出す。デジタル表示部２０４０は、アナログ表示と数値との関係（例：指針の位置と指針が表す数値との関係）を示す関数等を情報入力装置２０００の内部又は外部から取得する。そして、デジタル表示部２０４０は、この関数を用いてデジタル表示する数値を割り出す。
【００５３】
その他にも例えば、図６に示すように、情報入力装置２０００が、アナログ表示部２０２０及びデジタル表示部２０４０によって表示されるべき数値を格納する数値格納部２０９０を有していてもよい。この場合、アナログ入力部２０６０は、受け付けた操作の内容に基づいて、操作後にアナログ表示部２０２０及びデジタル表示部２０４０が表示すべき数値を算出する。例えばこの算出は、上述した関数を用いて行う。そして、アナログ入力部２０６０は、算出した数値を数値格納部２０９０に格納する。アナログ表示部２０２０及びデジタル表示部２０４０は、この数値格納部２０９０に格納されている値を取得して表示を行う。
【００５４】
アナログ表示部２０２０及びデジタル表示部２０４０が、数値格納部２０９０に格納されている数値が変更されたことを知る方法は様々である。例えばアナログ表示部２０２０及びデジタル表示部２０４０は、数値格納部２０９０又はアナログ入力部２０６０から、数値の変更を知らせる通知を受け付ける。その他にも例えば、アナログ表示部２０２０及びデジタル表示部２０４０は、数値格納部２０９０を監視することで、数値格納部２０９０に格納されている数値が変更されたことを検知してもよい。
【００５５】
＜デジタル入力の詳細＞
例えばデジタル入力部２０８０は、デジタル入力された数値をアナログ表示部２０２０及びデジタル表示部２０４０に通知する。アナログ表示部２０２０及びデジタル表示部２０４０はそれぞれ、この数値を表示する。
【００５６】
また、前述したように、情報入力装置２０００が数値格納部２０９０を有していてもよい（図６参照）。デジタル入力部２０８０は、デジタル入力された数値を数値格納部２０９０に格納する。アナログ表示部２０２０及びデジタル表示部２０４０は、数値格納部２０９０に格納されている値を取得し、取得した値を表示する。
【００５７】
例えばアナログ表示部２０２０及びデジタル表示部２０４０は、数値格納部２０９０又はデジタル表示部２０４０から、数値の変更を知らせる通知を受け付ける。その他にも例えば、アナログ表示部２０２０及びデジタル表示部２０４０は、数値格納部２０９０を監視することで、数値格納部２０９０に格納されている数値が変更されたことを検知する。
【００５８】
＜複数の値の表示＞
アナログ表示部２０２０が表示するアナログメータは、複数の数値をアナログ表示してもよい。この場合、デジタル表示部２０４０は、これら複数の数値それぞれをデジタル表示する。図７は、アナログ表示部２０２０とデジタル表示部２０４０がそれぞれ２つの数値を表示する場合の情報入力装置２０００を例示する図である。アナログメータ３０は、２つの指針７０（指針７０−１及び指針７０−２）を有する。また、デジタル表示部２０４０は、２つのデジタルメータ４０（デジタルメータ４０−１及びデジタルメータ４０−２）を表示する。デジタルメータ４０−１は、指針７０−１がアナログ表示している数値をデジタル表示している。デジタルメータ４０−２は、指針７０−２がアナログ表示している数値をデジタル表示している。
【００５９】
ここで、例えば指針７０−１と指針７０−２はそれぞれ異なる色や形状をしていることが好ましい。特に、記録対象である実物のアナログメータにおいて、２つの指針の色や形状が異なるのであれば、指針７０−１と指針７０−２はそれぞれ対応する実物の指針に類似していることが好ましい。
【００６０】
また、デジタルメータ４０と指針７０と対応が容易に把握できることが好ましい。そのため、例えば指針７０−１と指針７０−２の色が異なる場合、デジタルメータ４０−１とデジタルメータ４０−２はそれぞれ、対応する指針と同じ色で数値をデジタル表示することが好ましい。
【００６１】
このように、情報入力装置２０００が複数の数値それぞれをアナログ表示及びデジタル表示することで、記録対象である実物のアナログメータが複数の数値を表している場合でも、効率よく情報入力装置２０００に対して入力を行うことができる。
【００６２】
[実施形態２] 
図８は、実施形態２に係る情報入力装置２０００を例示するブロック図である。図８において、矢印は情報の流れを表している。さらに、図８において、各ブロックは、ハードウエア単位の構成ではなく、機能単位の構成を表している。
【００６３】
＜特徴範囲表示部２１００＞
実施形態２の情報入力装置２０００は、特徴範囲表示部２１００を有する。特徴範囲表示部２１００は、アナログメータ上に、正常な数値の範囲又は異常な数値の範囲を、他の範囲と識別可能にアナログ表示する。以下、正常な数値の範囲又は異常な数値の範囲を、特徴範囲と表記する。
【００６４】
例えば特徴範囲表示部２１００は、正常な数値の範囲を示す特徴範囲を、正常な状態を知覚させる色（例：青や緑）で表示する。また例えば特徴範囲表示部２１００は、異常な数値の範囲を示す特徴範囲を、異常な状態や注意が必要な状態を知覚させる色（例：赤や黄色）で表示する。ただし、特徴範囲の表示方法は、色で表す方法に限定されない。例えば特徴範囲表示部２１００は、特徴範囲を斜線やドット柄などのパターンで表してもよい。
【００６５】
図９は、特徴範囲表示部２１００によって表示される特徴範囲を例示する図である。図９において、ドット柄で塗られている範囲を特徴範囲５０、斜線で塗られている範囲を特徴範囲６０と表記する。特徴範囲５０は、正常な数値の範囲を示している。一方、特徴範囲６０は、異常な数値の範囲を示している。
【００６６】
情報入力装置２０００のユーザは、指針の位置が特徴範囲５０に含まれているか否かを見ることで、アナログメータによって示される数値が正常な数値であるか否かを直感的に把握することができる。同様に、情報入力装置２０００のユーザは、指針の位置が特徴範囲６０に含まれているか否かを見ることで、アナログメータによって示される数値が異常な数値であるか否かを直感的に把握することができる。
【００６７】
なお、指針の位置が特徴範囲５０にも特徴範囲６０にも含まれない場合、アナログメータが示す数値は、異常な数値ではないものの、好ましい数値ではないと言える。この場合、例えばユーザは、別の計器を用いて測定対象の機器を再測定するなど、適切な対処を行うことができる。そのため、指針の位置が特徴範囲５０にも特徴範囲６０にも含まれないということが容易に把握できることも、ユーザにとって有益なことである。
【００６８】
以下、本実施形態の情報入力装置２０００について、さらに詳細に説明する。
【００６９】
＜特徴範囲の定め方１＞
情報入力装置２０００において、特徴範囲は様々な方法で定められる。例えば情報入力装置２０００は、情報入力装置２０００の内部又は外部から、特徴範囲を示す情報を取得する。この情報を、特徴範囲情報と表記する。この場合、情報入力装置２０００は、特徴範囲情報を取得する特徴範囲情報取得部２１１０を有する。
【００７０】
図１０は、特徴範囲情報取得部２１１０を有する実施形態２の情報入力装置２０００を例示するブロック図である。特徴範囲表示部２１００は、特徴範囲情報によって示される特徴範囲をアナログメータ上に表示する。
【００７１】
図１１は、特徴範囲情報をテーブル形式で例示する図である。図１１が示すテーブルを、特徴範囲情報テーブル１００と表記する。特徴範囲情報テーブル１００は、最小値１０２、最大値１０４、及び種別１０６という３つの列を持つ。最小値１０２は特徴範囲の最小値を表し、最大値１０４は特徴範囲の最大値を表す。また、種別１０６は、特徴範囲が正常な数値の範囲を示すものなのか、異常な数値の範囲を示すものなのかを表す。つまり、特徴範囲情報テーブル１００の各レコードは、最小値１０２と最大値１０４で挟まれる範囲であり、かつ種別１０６に示される種別である特徴範囲を表す情報である。例えば図１１の１行目のレコードは、「最小値が１５０かつ最大値が２００である正常な数値の範囲を示す特徴範囲」を表す。
【００７２】
なお、特徴範囲情報テーブル１００の各レコードは、最小値１０２及び最大値１０４のいずれかのみを示していてもよい。最小値１０２のみが示されている場合、特徴範囲表示部２１００は、例えばアナログ表示部２０２０が示しうる値の最大値を、特徴範囲の最大値にする。同様に、最大値１０４のみが示されている場合、特徴範囲表示部２１００は、例えばアナログ表示部２０２０が示しうる最小値を、特徴範囲の最小値とする。
【００７３】
＜特徴範囲の定め方２＞
その他にも例えば、情報入力装置２０００は、情報入力装置２０００に対する入力の履歴に基づいて特徴範囲を算出する。ここで、情報入力装置２０００に対する入力の履歴は、アナログ入力部２０６０によって取得される入力と、デジタル入力部２０８０によって取得される入力の双方を含む。情報入力装置２０００が上記のように特徴範囲を算出する場合、情報入力装置２０００は、特徴範囲算出部２１２０を有する。特徴範囲算出部２１２０は、情報入力装置２０００に対する入力の履歴に基づいて、前述した正常な数値の範囲又は異常な数値の範囲を算出する。
【００７４】
図１２は、特徴範囲算出部２１２０を有する実施形態２の情報入力装置２０００を例示するブロック図である。特徴範囲表示部２１００は、特徴範囲算出部２１２０によって算出された特徴範囲を、他の範囲と識別可能に表示する。特徴範囲算出部２１２０は、情報入力装置２０００に対する入力の履歴を、情報入力装置２０００の内部又は外部に設けられている格納部から取得する。例えばアナログ入力部２０６０及びデジタル入力部２０８０は、入力を受け付けた際に、入力された数値をこの格納部に格納する。
【００７５】
例えば特徴範囲算出部２１２０は、情報入力装置２０００に対して入力された数値の履歴を統計処理することで、特徴範囲を算出する。例えば特徴範囲算出部２１２０は、情報入力装置２０００に対して入力された数値の平均値μと標準偏差σを算出する。そして、特徴範囲算出部２１２０は、μ±σの範囲を、正常な数値の範囲を示す特徴範囲とする。また、特徴範囲算出部２１２０は、μ±σに含まれない範囲を、異常な数値の範囲を示す特徴範囲とする。その他にも例えば、特徴範囲算出部２１２０は、情報入力装置２０００に対して入力された確率分布などを算出することで、特徴範囲を算出してもよい。ここで、数値の履歴から正常な数値の範囲や異常な数値の範囲を算出する技術は既知の技術であるため、これ以上の説明は省略する。
【００７６】
なお、情報入力装置２０００は、特徴範囲情報取得部２１１０と特徴範囲算出部２１２０の双方を有していてもよい。この場合、特徴範囲算出部２１２０は、算出した特徴範囲を示す特徴範囲情報を生成して、情報入力装置２０００の内部又は外部に設けられている格納部に格納する。そして、特徴範囲情報取得部２１１０は、この格納部から、特徴範囲情報を取得する。こうすることで、情報入力装置２０００は、特徴範囲を表示する都度特徴範囲を算出する必要がなくなるため、特徴範囲の表示にかかる時間が短くなる。また、情報入力装置２０００が使用する計算機資源量を減らすことができる。
【００７７】
＜作用・効果＞
以上の構成により、本実施形態によれば、アナログメータ上に、正常な数値の範囲又は異常な数値の範囲（特徴範囲）が、他の範囲と識別可能にアナログ表示される。これにより、情報入力装置２０００のユーザは、アナログメータによってアナログ表示されている値が正常な値であるか又は異常な値であるかを、直感的に把握することができる。
【００７８】
本実施形態の情報入力装置２０００は、情報入力装置２０００のユーザが記録対象である実物のアナログメータの取り扱いに不慣れである場合に特に有益である。記録対象である実物のアナログメータに不慣れなユーザにとって、このアナログメータによって示される数値が正常であるか又は異常であるかを把握することは難しい。本実施形態の情報入力装置２０００によれば、不慣れなユーザであっても数値が正常であるか又は異常であるかを容易に把握できる。
【００７９】
[実施形態３] 
図１３は、実施形態３に係る情報入力装置２０００を例示するブロック図である。図１３において、矢印は情報の流れを表している。さらに、図１３において、各ブロックは、ハードウエア単位の構成ではなく、機能単位の構成を表している。
【００８０】
＜メータ情報取得部２１４０＞
実施形態３の情報入力装置２０００は、メータ情報取得部２１４０を有する。メータ情報取得部２１４０は、メータ情報を取得する。メータ情報は、複数種類のアナログメータそれぞれについて、そのアナログメータの特徴を示す情報である。
【００８１】
＜対象情報取得部２１５０＞
実施形態３の情報入力装置２０００は、対象情報取得部２１５０を有する。対象情報取得部２１５０は、表示画面１０に表示するアナログメータの特徴を示す情報である。
【００８２】
＜アナログ表示部２０２０＞
実施形態３のアナログ表示部２０２０は、メータ情報に示されるアナログメータの中から、対象情報に示される特徴を持つアナログメータを特定する。そして、アナログ表示部２０２０は、特定したアナログメータに関するメータ情報を用いて、特定したアナログメータを表示する。
【００８３】
＜メータ情報の詳細＞
図１４は、メータ情報をテーブル形式で例示する図である。図１４が示すテーブルを、メータ情報テーブル２００と表記する。メータ情報テーブル２００は、メータ ID ２０２及び特徴２０４という列を有する。メータ ID ２０２は、レコードが示すアナログメータの識別子である。例えばメータ ID ２０２は、アナログメータの型番である。
【００８４】
特徴２０４は、メータ ID ２０２で特定されるアナログメータの特徴を示す。例えば特徴２０４は、形状２０６、単位２０８、目盛り間隔２１０、指針の色２１２、開始位置２１４、終了位置２１６、最小値２１８、及び最大値２２０などの情報を有する。
【００８５】
形状２０６は、円形、楕円形、又は長方形など、アナログメータの形状を示す。ここで、例えばアナログメータが楕円形の場合、形状２０６は、アナログメータの長径と短径の比を示してもよい。同様に、アナログメータが長方形の場合、形状２０６は、アナログメータの長辺と短辺の長さの比を示してもよい。
【００８６】
単位２０８は、アナログメータによって表示される値の単位を示す。目盛り間隔２１０は、アナログメータにおいて、１目盛りによって表される数値の大きさを示す。指針の色２１２は、数値の表示に用いる指針の色を示す。
【００８７】
開始位置２１４及び終了位置２１６は、指針の開始位置と終了位置を示す。例えば指針の開始位置は、アナログメータによって示される数値の最小値に対応する。また、例えば指針の終了位置は、アナログメータによって示される数値の最大値に対応する。
【００８８】
アナログメータが円形である場合、例えば開始位置２１４は最小値を表示する際の指針の角度を示し、終了位置２１６は最大値を表示する際の指針の角度を示す。また、アナログメータが長方形である場合、開始位置２１４と終了位置２１６はそれぞれ、アナログメータの辺の長さを１とする相対値を用いて、最小値を表示する指針の位置と最大値を表示する指針の位置を示す。
【００８９】
図１５は、アナログメータの形状に応じた開始位置２１４及び終了位置２１６の表し方を例示する図である。図１５（ａ）はアナログメータが円形の場合であり、図１５（ｂ）はアナログメータが長方形の場合である。図１５（ａ）の場合、開始位置２１４は -120°であり、終了位置２１６は -60°である。
【００９０】
図１５（ｂ）の場合、開始位置２１４及び終了位置２１６は、アナログメータの長辺の長さを１とし、かつ始点を長辺の左端として表されている。開始位置２１４は、左端から 1/10 位置であり、終了位置２１６は、左端から 9/10 の位置である。
【００９１】
最小値２１８と最大値２２０はそれぞれ、アナログメータによって表される数値範囲の最小値と最大値を表す。アナログメータの指針が開始位置２１４で表される位置にある時、アナログメータが示す値は、最小値２１８で表される値となる。同様に、アナログメータの指針が終了位置２１６で表される位置にある時、アナログメータが示す値は、最大値２２０で表される値となる。
【００９２】
＜処理の流れ＞
図１６は、実施形態３の情報入力装置２０００によって実行される処理の流れを例示するフローチャートである。ステップＳ４０２において、メータ情報取得部２１４０は、メータ情報を取得する。ステップＳ４０４において、対象情報取得部２１５０は、対象情報を取得する。ステップＳ４０６において、アナログ表示部２０２０は、メータ情報に示されるアナログメータの中から、対象情報に示される特徴を持つアナログメータを特定する。ステップＳ４０８において、アナログ表示部２０２０は、ステップＳ４０６で特定したアナログメータを表示する。
【００９３】
以下、本実施形態について、さらに詳細に説明する。
【００９４】
＜対象情報の取得方法＞
対象情報取得部２１５０が対象情報を取得する方法は様々である。例えば対象情報取得部２１５０は、情報入力装置２０００の内部又は外部から、対象情報の入力を受け付ける。例えば対象情報取得部２１５０は、対象情報が示す各特徴の手動入力を受け付け、入力された情報を対象情報として取得する。その他にも例えば、対象情報取得部２１５０は、対象情報を示すデータ（例：ファイルなど）の入力を受け付ける。
【００９５】
その他にも例えば、情報入力装置２０００は、内部で生成される対象情報を取得する。例えば情報入力装置２０００は、アナログメータが撮像されている画像から、そのアナログメータの特徴を抽出し、そのアナログメータの特徴を示す対象情報を生成する。この場合、情報入力装置２０００は、図１７に示すように対象情報生成部２１７０を有する。対象情報生成部２１７０は、アナログメータが撮像されている画像から、そのアナログメータの特徴を抽出し、そのアナログメータの特徴を示す対象情報を生成する。対象情報生成部２１７０は、情報入力装置２０００の内部又は外部から上記画像を取得する。対象情報取得部２１５０は、対象情報生成部２１７０によって生成された対象情報を取得する。
【００９６】
例えば、情報入力装置２０００は、上記画像を撮像するカメラを備えていることが好ましい。情報入力装置２０００のユーザは、このカメラを用いて、記録対象である実物のアナログメータを撮像する。そして、情報入力装置２０００は、カメラによって撮像された実物のアナログメータの画像から、このアナログメータの特徴を抽出して、対象情報を生成する。このようにすることで、情報入力装置２０００は、記録対象である実物のアナログメータの特徴を示す対象情報を自動で生成することができる。
【００９７】
その他にも例えば、情報入力装置２０００は、メータ情報に示される各アナログメータそれぞれの特徴を示す複数の対象情報を選択可能に表示して、対象情報の選択を受け付ける。この場合、情報入力装置２０００は、図１７に示すように、メータ選択部２１６０を有する。メータ選択部２１６０は、メータ情報に示される各アナログメータそれぞれの特徴を示す複数の対象情報を選択可能に表示して、対象情報の選択を受け付ける。選択可能な形式とは、例えばリスト形式である。そして、対象情報取得部２１５０は、メータ選択部２１６０を用いて選択されたメータ情報を取得する。
【００９８】
なお、メータ選択部２１６０が表示する対象情報は、メータ情報に示される特徴の一部でもよいし、全部でもよい。例えばメータ選択部２１６０は、メータ情報に示される各アナログメータの型番を選択可能に表示する。この場合、例えば情報入力装置２０００のユーザは、記録対象である実物のアナログメータに記載されている型番を見て、メータ選択部２１６０によって表示されている型番の中から、記録対象である実物のアナログメータの型番を選択する。こうすることで、表示画面１０上に、記録対象である実物のアナログメータの特徴を持つアナログメータが表示される。ただし、メータ選択部２１６０が表示する対象情報は、アナログメータの型番に限定されない。
【００９９】
＜特徴範囲の表示方法＞
ここで、実施形態３の情報入力装置２０００が、実施形態２で説明した特徴範囲表示部２１００を有しているとする。特徴範囲の表示方法は、アナログ表示部２０２０が表示するアナログメータの特徴に依存する。アナログメータの形状が円形である場合、例えば特徴範囲は、扇形で表示される（図９参照）。一方、アナログメータの形状が長方形である場合、例えば特徴範囲は、目盛り方向に沿った長方形などで表示される。
【０１００】
そこで、実施形態３の情報入力装置２０００が特徴範囲表示部２１００を有する場合、特徴範囲表示部２１００は、アナログ表示部２０２０が表示するアナログメータの特徴に応じた方法で特徴範囲を表示する。特徴範囲表示部２１００は、アナログ表示部２０２０が表示するアナログメータの特徴を示すメータ情報を取得し、そのメータ情報が示すアナログメータの特徴に応じて特徴範囲を表示する。
【０１０１】
例えば特徴範囲表示部２１００が取得したメータ情報が、図１４の１行目のレコードの情報を示しているとする。また、特徴範囲表示部２１００が表示する特徴範囲が、図１１の１行目のレコードに示される特徴範囲であるとする。この場合、特徴範囲表示部２１００は、特徴範囲の最小値及び最大値、並びにアナログメータの開始位置、終了位置、最小値、及び最大値を用いて、特徴範囲の最小値に対応する角度である -270°及び最大値に対応する角度である -320°を算出する。
【０１０２】
＜作用・効果＞
本実施形態の情報入力装置２０００によれば、複数種類のアナログメータそれぞれの特徴を表すメータ情報を用いて、表示画面１０上にアナログメータが表示される。情報入力装置２０００を用いて記録を行う実物のアナログメータが複数ある場合、それら実物のアナログメータそれぞれの特徴を表すメータ情報を用意しておく。こうすることで、情報入力装置２０００は、記録対象の実物のアナログメータに近い特徴を持つアナログメータを表示することができる。その結果、ユーザによる情報入力装置２０００に対する入力の効率がさらに高くなる。
【０１０３】
[実施形態４] 
図１８は、実施形態４に係る情報入力装置２０００を例示するブロック図である。図１８において、矢印は情報の流れを表している。さらに、図１８において、各ブロックは、ハードウエア単位の構成ではなく、機能単位の構成を表している。
【０１０４】
実施形態４の情報入力装置２０００は、確認情報表示部２１８０を有する。確認情報表示部２１８０は、アナログ表示部２０２０によってアナログ表示される数値が、特徴範囲表示部２１００によって表示される異常な数値の範囲に含まれる場合のみ、表示画面１０上に確認情報を表示する。確認情報は、当該情報入力装置２０００の利用方法に関して確認すべき事項を示す。
【０１０５】
図１９は、実施形態４における表示画面１０の表示を例示する図である。特徴範囲６０は、異常な数値の範囲を示す特徴範囲である。図１９において、アナログメータの指針が示す数値は、特徴範囲６０に含まれる。そこで、確認情報表示部２１８０は、確認情報８０を表示する。確認情報８０は、「実物のアナログメータの電源は入っているか？」及び「測定対象機器のパラメータ設定は正しいか？」という２点について確認を促す確認情報を示している。ここで、例えばパラメータに関する確認情報は、「どのパラメータをどのような値に設定すべきか」という情報をさらに具体的に示してもよい。
【０１０６】
なお、図１９において、確認情報の横にチェックボックスが表示されており、ユーザは、各確認情報に関するチェックの結果を入力できるようになっている。このようにすることで、情報入力装置２０００の利便性がさらに向上する。
【０１０７】
＜作用・効果＞
以上のように、本実施形態の情報入力装置２０００によれば、アナログ表示部２０２０によってアナログ表示される数値が、特徴範囲表示部２１００によって表示される異常な数値の範囲に含まれる場合のみ、表示画面１０上に確認情報を表示される。これにより、情報入力装置２０００のユーザは、記録対象のアナログメータが異常な数値を示している場合に確認すべき事項を知ることができる。したがって、情報入力装置２０００の利便性がさらに向上する。このような確認情報の表示も、記録対象のアナログメータの扱いに不慣れな作業者にとって特に有益である。
【０１０８】
以上、図面を参照して本発明の実施形態について述べたが、これらは本発明の例示であり、上記実施形態の組み合わせ、及び上記実施形態以外の様々な構成を採用することもできる。
【符号の説明】
【０１０９】
１０ 表示画面
２０ 物理メータ
３０ アナログメータ
４０ デジタルメータ
５０、６０ 特徴範囲
７０ 指針
８０ 確認情報
１００ 特徴範囲情報テーブル
１０２ 最小値
１０４ 最大値
１０６ 種別
２００ メータ情報テーブル
２０２ メータ ID
２０４ 特徴
２０６ 形状
２０８ 単位
２１０ 目盛り間隔
２１２ 指針の色
２１４ 開始位置
２１６ 終了位置
２１８ 最小値
２２０ 最大値
１０２０ バス
１０４０ プロセッサ
１０６０ メモリ
１０８０ ストレージ
１２２０ アナログ表示モジュール
１２４０ デジタル表示モジュール
１２６０ アナログ入力モジュール
１２８０ デジタル入力モジュール
２０００ 情報入力装置
２０２０ アナログ表示部
２０４０ デジタル表示部
２０６０ アナログ入力部
２０８０ デジタル入力部
２０９０ 数値格納部
２１００ 特徴範囲表示部
２１１０ 特徴範囲情報取得部
２１２０ 特徴範囲算出部
２１４０ メータ情報取得部
２１５０ 対象情報取得部
２１６０ メータ選択部
２１７０ 対象情報生成部
２１８０ 確認情報表示部
【図１】
2015052523.tif 000003
【図２】
2015052523.tif 000004
【図３】
2015052523.tif 000005
【図４】
2015052523.tif 000006
【図５】
2015052523.tif 000007
【図６】
2015052523.tif 000008
【図７】
2015052523.tif 000009
【図８】
2015052523.tif 000010
【図９】
2015052523.tif 000011
【図１０】
2015052523.tif 000012
【図１１】
2015052523.tif 000013
【図１２】
2015052523.tif 000014
【図１３】
2015052523.tif 000015
【図１４】
2015052523.tif 000016
【図１５】
2015052523.tif 000017
【図１６】
2015052523.tif 000018
【図１７】
2015052523.tif 000019
【図１８】
2015052523.tif 000020
【図１９】
2015052523.tif 000021
【図２０】
2015052523.tif 000022